【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
組成物であって、
前記組成物は多孔質骨格であり、
前記骨格の細孔は２〜５００ミクロンであり、前記組成物は、
ａ．コラーゲンおよびゼラチンからなる群から選択される架橋可能タンパク質、
ｂ．前記架橋可能タンパク質の架橋を誘導する架橋剤、および
ｃ．液体
から成ることを特徴とする、前記組成物。
【請求項２】
前記液体は生理学的緩衝液であることを特徴とする、請求項１に記載の組成物。
【請求項３】
前記組成物は泡であることを特徴とする、請求項１に記載の組成物。
【請求項４】
前記架橋可能タンパク質は５〜２００ミクロンの平均粒径を有する微粉化タンパク質粉末として前記組成物に導入されることを特徴とする、請求項１に記載の組成物。
【請求項５】
前記架橋可能タンパク質は２００〜３００ブルームのゼラチンから成ることを特徴とする、請求項１に記載の組成物。
【請求項６】
前記架橋可能タンパク質は０．５重量部〜２５重量部の範囲で前記組成物中に存在することを特徴とする、請求項１に記載の組成物。
【請求項７】
前記架橋剤がトランスグルタミナーゼであることを特徴とする、請求項１に記載の組成物。
【請求項８】
前記トランスグルタミナーゼは０．０００１重量部〜２重量部の範囲で前記組成物中に存在することを特徴とする、請求項７に記載の組成物。
【請求項９】
前記組成物は、患者が組織欠損の治療を必要としている部位において、患者の生体位で形成されることを特徴とする、請求項１に記載の組成物。
【請求項１０】
前記組成物は、患者が組織欠損の治療を必要としている部位において、患者に前記組成物を導入する前に形成されることを特徴とする、請求項１に記載の組成物。
【請求項１１】
少なくとも１つの細胞型が前記組成物中に浸潤し、成長することを特徴とする、請求項１に記載の組成物。
【請求項１２】
前記少なくとも１種類の細胞型は、膵臓幹細胞、腸内分泌細胞、骨細胞、肝細胞、腱細胞、筋細胞、血液細胞、軟骨細胞、上皮細胞、内皮細胞、神経細胞、胚幹細胞、間葉系幹細胞、自家骨髄由来間葉系幹細胞、前駆細胞、造血幹細胞、間葉系幹細胞、神経幹細胞、骨系幹細胞、軟骨幹細胞、上皮幹細胞、および肝幹細胞を含む、組成物から成る群からの細胞型であることを特徴とする、請求項１１に記載の組成物。
【請求項１３】
組成物であって、
ａ．架橋可能ゼラチン、
ｂ．前記架橋可能ゼラチンの架橋を誘導するトランスグルタミナーゼ、および
ｃ．液体を含み、
ここで、前記組成物は２〜５００ミクロンの粒径を有する多孔質骨格であり、
前記架橋可能ゼラチンは５〜２００ミクロンの粒径を有する微粉化ゼラチン粉末として前記組成物に導入され、
前記架橋可能ゼラチンは２００〜３００ブルームであり、
前記架橋可能ゼラチンは０．５重量部〜２５重量部の範囲で前記組成物中に存在し、
前記トランスグルタミナーゼは０．０００１重量部〜2重量部の範囲で前記組成物中に存在することから成ることを特徴とする、前記組成物。
【請求項１４】
前記液体は生理学的緩衝液であることを特徴とする、請求項１３に記載の組成物。
【請求項１５】
前記組成物は泡であることを特徴とする、請求項１３に記載の組成物。
【請求項１６】
前記組成物は、患者が組織欠損の治療を必要としている部位において、患者の体内のその場で形成されることを特徴とする、請求項１３に記載の組成物。
【請求項１７】
前記組成物は、患者が組織欠損の治療を必要としている部位において、患者に前記組成物を導入する前に形成されることを特徴とする、請求項１３に記載の組成物。
【請求項１８】
治療を必要とする患者の組織欠損または疾患を治療する方法であり、
ａ．組織欠損または疾患を治療するのに十分な量で、組織欠損部位において患者に請求項１の前期組成物を導入すること；
ここで、前期組成物は欠損部位において組織に付着することから成ることを特徴とする、前記方法。
【請求項１９】
前記組織欠損は創傷であることを特徴とする、請求項１８に記載の方法。
【請求項２０】
前記組織は正常に機能せず、再生が必要であることを特徴とする、請求項１８に記載の方法。
【請求項２１】
前記組織は骨欠損であることを特徴とする、請求項１８に記載の方法。
【請求項２２】
前記組成物は患者の骨の再生を誘導することを特徴とする、請求項２１に記載の方法。
【請求項２３】
前記疾患は便失禁であることを特徴とする、請求項１８に記載の方法。
【請求項２４】
前記疾患は尿失禁であることを特徴とする、請求項１８に記載の方法。
【請求項２５】
前記疾患は肺気腫であることを特徴とする、請求項１８に記載の方法。
【請求項２６】
治療を必要とする患者の組織欠損または疾患を治療する方法であり、
ａ．組織欠損または疾患を治療するのに十分な量で、組織欠損部位において患者の体内で請求項１の前期組成物を形成すること；
ここで、前期組成物は欠損部位において組織に付着することから成ることを特徴とする、前記方法。
【請求項２７】
前記組織欠損は創傷であることを特徴とする、請求項２６に記載の方法。
【請求項２８】
前記組織は正常に機能せず、再生が必要であることを特徴とする、請求項２６に記載の方法。
【請求項２９】
前記組織は骨欠損であることを特徴とする、請求項２６に記載の方法。
【請求項３０】
前記組成物は患者の骨の再生を誘導することを特徴とする、請求項２９に記載の方法。
【請求項３１】
前記疾患は便失禁であることを特徴とする、請求項２６に記載の方法。
【請求項３２】
前記疾患は尿失禁であることを特徴とする、請求項２６に記載の方法。
【請求項３３】
前記疾患は肺気腫であることを特徴とする、請求項２６に記載の方法。
【請求項３４】
患者の肺容量を減少させる方法であり、前記方法は、
ａ．患者の肺の標的領域を崩壊させること；および
ｂ．崩壊される領域の第１の部分を崩壊される領域の第２の部分に付着させるのに十分な量で崩壊される領域の部位において、患者の体内に請求項１の前記組成物を導入すること、
ここで、崩壊される領域の第１の部分を崩壊される領域の第２の部分に付着させることで、患者の肺容量を減少させ、
前記組成物は、線維芽細胞接着およびコラーゲン合成を促進するように構成され、
前記線維芽細胞接着およびコラーゲン合成は炎症を防ぐことを特徴とする、前記方法。
【請求項３５】
患者の肺容量を減少させる方法であり、前記方法は、
ａ．肺容量を減らすのに十分な量で、肺領域の部位において患者の体内に請求項１の前期組成物を導入すること、
ここで、前記組成物は、線維芽細胞接着およびコラーゲン合成を促進するように構成され、
前記線維芽細胞接着およびコラーゲン合成は炎症を防ぐことを特徴とする、前記方法。
【請求項３６】
患者の肺容量を減少させる方法であり、前記方法は、
ａ．患者の肺の標的領域を崩壊させること；および
ｂ．崩壊される領域の第１の部分を崩壊される領域の第２の部分に付着させるのに十分な量で崩壊される領域の部位において、患者の体内で請求項１の前記組成物を形成すること、
ここで、崩壊される領域の第１の部分を崩壊される領域の第２の部分に付着させることで、患者の肺容量を減少させ、
前記組成物は、線維芽細胞接着およびコラーゲン合成を促進するように構成され、
前記線維芽細胞接着およびコラーゲン合成は炎症を防ぐことから成ることを特徴とする、前記方法。
【請求項３７】
患者の肺容量を減少させる方法であり、前記方法は、
ａ．肺容量を減少させるのに十分な量で、肺領域の部位において患者の体内で請求項１の前期組成物を形成すること、
前記組成物は、線維芽細胞接着およびコラーゲン合成を促進するように構成され、
前記線維芽細胞接着およびコラーゲン合成は炎症を防ぐことから成ることを特徴とする、前記方法。